(57)【要約】      （修正有）【課題】１個のオープナーで飲料容器や缶容器等の多種容器を開口させるために使用することができる多種容器用オープナーを提供する。【解決手段】本体部２の中央に位置して上下方向に延びる仮想の軸線Ｐに関して、該軸線を中心として本体部に一体形成されたキャップ用孔壁４と、該軸線に交差する直径方向の一方に向けて本体部から一体に延設された舌片部５を備えており、キャップ用孔壁４は、飲料容器に螺着されたキャップに外嵌自在かつ一体回動自在となるように構成され、舌片部５は、先端部から本体部の上方に向けて斜めに突出する缶容器用爪部１０を一体に形成し、缶容器の開缶用のリング部に対して、舌片部５と共に缶容器用爪部１０をリング部の下側に挿入自在かつ押上げ自在となるように構成されている。【選択図】図１
0003226496.tif 000002
【実用新案登録請求の範囲】
【請求項１】
本体部(2)の中央に位置して上下方向に延びる仮想の軸線(P)に関して、該軸線を中心として本体部に一体形成されたキャップ用孔壁(4)と、該軸線に交差する直径方向の一方に向けて本体部から一体に延設された舌片部(5)を備えており、
前記キャップ用孔壁(4)は、少なくとも下向きの開口部を備え、飲料容器(X)に螺着されたキャップ(7)に外嵌自在かつ一体回動自在となるように構成され、
前記舌片部(5)は、先端部から前記本体部の上方に向けて斜めに突出する缶容器用爪部(10)を一体に形成し、缶容器(Y)の開缶用のリング部(16)に対して、前記舌片部(5)と共に缶容器用爪部)10)を前記リング部(16)の下側に挿入自在かつ押上げ自在となるように構成されて成ることを特徴とする多種容器用オープナー。
【請求項２】
前記本体部(2)は、前記軸線(P)に交差する直径方向に関して、前記舌片部の反対方向に帽状部(6)を一体に延設しており、
前記帽状部(6)は、先端側の下縁から上面に向けて円弧状に膨出するガイド面(18)を形成し、該ガイド面の上部から前記本体部の上方に向けて斜めに突出する樹脂容器用爪部(19)を一体に形成し、該帽状部の上面を下向きにした状態で、樹脂容器の口筒部材(Z)の内側で引きちぎり開口自在に形成された封膜部(21)から延設されたプルリング(22)に対して、前記樹脂容器用爪部(19)をプルリング(22)に挿入自在かつ前記ガイド面(18)を口筒部の上縁(23)に接支自在とするように構成されて成ることを特徴とする請求項１に記載の多種容器用オープナー。
【請求項３】
外径を大径とした大径キャップ(7L)を螺着した飲料容器(X2)と、外径を小径とした小径キャップ(7S)を螺着した飲料容器(X1)に関して、
前記キャップ用孔壁(4)は、下向きの開口部から前記大径キャップに外嵌自在な内径を備えた大径孔壁(4L)と、前記小径キャップに外嵌自在な内径を備えた小径孔壁(4S)を同軸上に連設しており、本体部(2)に前記小径孔壁に連通する指挿入孔(8)を開設して成ることを特徴とする請求項１又は２に記載の多種容器用オープナー。
【請求項４】
前記舌片部(5)は、本体部(2)の下面に向けて延びる接支部(11)を設けており、
缶容器のうちリング部(16a)を上動させたとき押込みタブ(15a)を下動させることにより飲み口を開口させる飲料缶容器(Y1)に関して、
前記缶容器用爪部(10)は、前記舌片部(5)と共に前記リング部(16a)の下側に挿入したとき、該リング部を押上げるテーパ面(12)を備えており、
前記接支部(11)は、前記リング部(16a)を押上げた状態で缶容器(Y1)の縁部に当接することにより、本体部(2)を下動したとき缶容器用爪部(10)を上動させる支点手段(17)を形成するように構成されて成ることを特徴とする請求項１、２又は３に記載の多種容器用オープナー。
【考案の詳細な説明】
【技術分野】
【０００１】
本考案は、１個のオープナーで飲料容器や缶容器等の多種容器を開口させるために使用することができる多種容器用オープナーに関する。
【背景技術】
【０００２】
例えば、飲料用のペットボトルやパウチ容器の飲み口は、螺着されたキャップにより閉鎖されており、ユーザは、キャップを回動して取外すことにより、飲み口を開口する。しかしながら、キャップを回動するために十分な握力等が必要であり、婦女子や児童には酷である。
【０００３】
また、例えば、醤油やウスターソース等の樹脂容器は、口筒部材の底部に引きちぎり開口自在な封膜部を形成し、該封膜部から延設されたプルリングを口筒部材の上縁近傍部に配置しており、ユーザは、指先でプルリングを引き上げて封膜部を引きちぎることにより、口筒部材の底部を開口させる。この場合も、指先でプルリングを引き上げるための腕力が必要であり、特に引上げ時に指先に苦痛を伴う等、作業が容易でない。
【０００４】
更に、例えば、缶容器の場合、飲料缶容器は、リング部を上動させたとき押込みタブを下動させることにより飲み口を開口させるように構成されている。また、プルトップ式の缶詰容器は、プルトップにリング部を連設し、リング部を引き上げることによりプルトップを捲り上げながら容器を開口させるように構成されている。何れの場合も、ユーザは、指先でリング部を上動させることが必要であるが、指先をリング部の下側に差し込むことは容易でない。
【先行技術文献】
【特許文献】
【０００５】
【特許文献１】特開２０００−２３８８９３号公報
【特許文献２】特開２００１−２７８３２０号公報
【特許文献３】特開２００３−８１３９０号公報
【特許文献４】実用新案登録第３２２１６７３号公報
【考案の概要】
【考案が解決しようとする課題】
【０００６】
上述のような多種容器に関して、何れか１種類の容器の開口作業を補助ないし支援するためのオープナーが提供されている。しかしながら、このようなオープナーは、他種類の容器に使用できないため、ユーザは、種類毎に応じて多数のオープナーを揃え準備しておく必要があり、極めて不便である。
【０００７】
本考案は、上記に鑑み、１個のオープナーで飲料容器や缶容器等の多種容器を開口させるために使用できる多種容器用オープナーの提供を目的としている。
【課題を解決するための手段】
【０００８】
そこで、本考案が手段として構成したところは、本体部の中央に位置して上下方向に延びる仮想の軸線に関して、該軸線を中心として本体部に一体形成されたキャップ用孔壁と、該軸線に交差する直径方向の一方に向けて本体部から一体に延設された舌片部を備えており、前記キャップ用孔壁は、少なくとも下向きの開口部を備え、飲料容器に螺着されたキャップに外嵌自在かつ一体回動自在となるように構成され、前記舌片部は、先端部から前記本体部の上方に向けて斜めに突出する缶容器用爪部を一体に形成し、缶容器の開缶用タブに設けられたリング部に対して、前記舌片部と共に缶容器用爪部を前記リング部の下側に挿入自在かつ押上げ自在となるように構成されて成る点にある。
【０００９】
本考案の好ましい実施形態において、前記本体部は、前記軸線に交差する直径方向に関して、前記舌片部の反対方向に帽状部を一体に延設しており、前記帽状部は、先端側の下縁から上面に向けて円弧状に膨出するガイド面を形成し、該ガイド面の上部から前記本体部の上方に向けて斜めに突出する樹脂容器用爪部を一体に形成し、該帽状部の上面を下向きにした状態で、樹脂容器の口筒の内側で引きちぎり開口自在に形成された封膜部から延設されたプルリングに対して、前記樹脂容器用爪部をプルリングに挿入自在かつ前記ガイド面を口筒の上縁に接支自在とするように構成されている。
【００１０】
好ましくは、外径を大径とした大径キャップを螺着した飲料容器と、外径を小径とした小径キャップを螺着した飲料容器に関して、前記キャップ用孔壁は、下向きの開口部から前記大径キャップに外嵌自在な内径を備えた大径孔壁と、前記小径キャップに外嵌自在な内径を備えた小径孔壁を同軸上に連設しており、本体部に前記小筒部に連通する指挿入孔を開設している。
【００１１】
更に好ましくは、前記舌片部は、本体部の下面に向けて延びる接支部を設けており、缶容器のうちリング部を上動させたとき押込みタブを下動させることにより飲み口を開口させる飲料缶容器に関して、前記缶容器用爪部は、前記舌片部と共に前記リング部の下側に挿入したとき、該リングを押上げるテーパ面を備えており、前記接支部は、前記リングを押上げた状態で缶容器の縁部に当接することにより、本体部を下動したとき缶容器用爪部を上動させる支点手段を形成するように構成されている。
【考案の効果】
【００１２】
本考案によれば、１個のオープナーで飲料容器や缶容器等の多種容器を開口させるために使用することができる便利な多種容器用オープナーを提供することが可能になる。
【図面の簡単な説明】
【００１３】
【図１】本考案の１実施形態を示す斜視図である。
【図２】本考案の１実施形態に関して、（Ａ）は平面図、（Ｂ）はＡ−Ａ線断面図、（Ｃ）はＢ−Ｂ線断面図である。
【図３】飲料容器に螺着されたキャップを取外して開口する方法を説明しており、（Ａ）は小径キャップを備えた飲料容器を示す側面図、（Ｂ）は小径孔壁を小径キャップに外嵌させた状態の断面を示す側面図、（Ｃ）は大径キャップを備えた飲料容器を示す側面図、（Ｄ）は大径孔壁を大径キャップに外嵌させた状態の断面を示す側面図である。
【図４】飲料缶容器を開口する方法を説明しており、（Ａ）は飲料缶容器を示す斜視図、（Ｂ）は舌片部と缶容器用爪部によりリング部を押上げる前の状態を示す側面図、（Ｃ）はリング部を押上げた状態を示す側面図である。
【図５】プルトップ式の缶詰容器を開口する方法を説明しており、（Ａ）は缶詰容器を示す斜視図、（Ｂ）は舌片部と缶容器用爪部によりリング部を押上げる前の状態を示す側面図、（Ｃ）はリング部を押上げた状態を示す側面図、（Ｄ）は缶容器用爪部によりリング部を引き上げた状態を示す側面図である。
【図６】樹脂容器における口筒部材の封膜部を開口する方法を説明しており、（Ａ）は口筒部材を示す斜視図、（Ｂ）は樹脂容器用爪部をプルリングに臨ませた状態を示す側面図、（Ｃ）はガイド面を介して帽状部を移動させて樹脂容器用爪部によりプルリングを引き上げた状態を示す側面図である。
【考案を実施するための形態】
【００１４】
以下図面に基づいて本考案の好ましい実施形態を詳述する。
【００１５】
図１及び図２に示すように、本考案のオープナー１は、合成樹脂により一体成形された１個のものであり、本体部２の中央に位置して上下方向に延びる仮想の軸線Ｐに関して、該軸線Ｐを中心として本体部２に一体形成された筒部３の内側に形成されたキャップ用孔壁４と、該軸線Ｐに交差する直径方向の一方に向けて本体部２から一体に延設された舌片部５と、他方に向けて本体部２から一体に延設された帽状部６を備えている。
【００１６】
（キャップ用孔壁）
図２に示すように、前記キャップ用孔壁４は、下向きの開口部から内径を大径とした大径孔壁４Ｌと、内径を小径とした小径孔壁４Ｓを同軸上に連設しており、異径段部４ａを介して両孔壁４Ｌ、４Ｓを相互に連通させている。
【００１７】
これにより、オープナー１は、キャップ用孔壁４により、飲料用のペットボトルやパウチ容器の飲み口も螺着されたキャップを容易に取外し可能とする。この点に関して、ペットボトル等の飲料容器Ｘは、図６（Ａ）のような小径とされた外径ＲＳを有する小径キャップ７Ｓを螺着した容器と、図６（Ｃ）のような大径とされた外径ＲＬを有する大径キャップ７Ｌを螺着した容器が市場に提供されている。
【００１８】
そこで、前記大径孔壁４Ｌは、大径キャップ７Ｌに外嵌自在とされるように形成されており、前記小径孔壁４Ｓは、小径キャップ７Ｓに外嵌自在とされるように形成されている。この際、キャップ７Ｌ、７Ｓは、外周に縦筋状の凹凸を形成しているのが一般的であるため、これに嵌合自在とされる縦筋状の凹凸を孔壁４Ｌ、４Ｓにも形成することが好ましい。
【００１９】
この際、前記本体部２には、前記小径孔壁４Ｓに連通する指挿入孔８を開設し、該指挿入孔８の内周縁部により小径孔壁４Ｓに環状底部９を形成することが好ましい。
【００２０】
（飲料容器の開口方法）
ところで、オープナー１により、小径キャップ７Ｓを飲料容器Ｘ１から取外す場合は、図６（Ｂ）に示すように、下向きの開口部から小径キャップ７Ｓをキャップ用孔壁４に挿入させると、小径キャップ７Ｓは、上面周縁を環状底部９に当接した状態で小径孔壁４Ｓに内嵌される。
【００２１】
また、大径キャップ７Ｌを飲料容器Ｘ２から取外す場合は、図６（Ｄ）に示すように、下向きの開口部から大径キャップ７Ｌをキャップ用孔壁４に挿入させると、大径キャップ７Ｌは、上面周縁を異径段部４ａに当接した状態で大径孔壁４Ｌに内嵌される。
【００２２】
上記のような内嵌状態で、本体部２を回動させることにより、キャップ７Ｓ、７Ｌを回動させ、飲料容器Ｘ１、Ｘ２から簡単容易に取外すことができる。この際、本体部２は、径方向に延設された舌片部５と帽状部６により軸線Ｐを中心とするレバーを構成しているので、オープナー１の全体を手の平で握持して回動させることにより、軽い力でキャップ７Ｓ、７Ｌを回動させることができる。
【００２３】
飲料容器Ｘ１、Ｘ２から取外されたキャップ７Ｓ、７Ｌは、孔壁４Ｓ、４Ｌの内部に嵌合されているが、ユーザが指挿入孔８に指先を挿入して押すことにより、筒部３から下方へ落下させることができる。
【００２４】
（缶容器用爪部）
図１及び図２に示すように、前記舌片部５は、その先端部から前記本体部２の上方に向けて斜めに突出する缶容器用爪部１０を一体に形成しており、該舌片部５の下面から本体部２の下面に向けて延びる接支部１１（図４（Ｃ）参照）を形成している。
【００２５】
前記缶容器用爪部１０は、突出方向に向けて先細り状とされ、先端を尖鋭とするように形成され、傾斜した上面にテーパ面１２を形成している。そして、舌片部５の下面から前記テーパ面１２に向けて次第に薄肉状となるテーパ面を形成することにより、缶容器用爪部１０の基端部に尖鋭となるエッジ部１３が形成されている。
【００２６】
缶容器用爪部１０は、図４に示すような飲料缶容器Ｙ１と、図５に示すようなプルトップ式の缶詰容器Ｙ２の何れを開口させる場合にも使用される。
【００２７】
（飲料缶容器の開口方法）
図４（Ａ）に示すように、ビール缶やコーヒー缶等の飲料缶容器Ｙ１は、上蓋部１４に切り溝を介して分離可能な押込みタブ１５ａを形成しており、該押込みタブ１５ａを押し込んで飲み口を開口させるためのリング部１６ａを設けている。この点は公知のとおりであり、リング部１６ａの尾端部を引き上げると先端部が押込みタブ１５ａを押動して上蓋部１４から分離させることにより上蓋部１４を開口し、飲み口を形成するように構成されている。
【００２８】
オープナー１により飲料缶容器Ｙ１を開口させる場合は、図４（Ｂ）に示すように、前記エッジ部１３をリング部１６ａに対向させて下側に臨ませ、その状態からエッジ部１３を前進させると、舌片部５及び缶容器用爪部１０が上蓋部１４とリング部１６ａの間に進入し、テーパ面１２に沿ってリング部１６ａが押上げられる。
【００２９】
この状態から、オープナー１を押下げると、図４（Ｃ）に示すように、接支部１１が飲料缶容器Ｙ１の縁部に当接し、更にオープナー１を押下げると前記接支部１１が支点手段１７として梃子を構成することにより、缶容器用爪部１０を軽い力で簡単に上動させることができる。これにより、押込みタブ１５ａが上蓋部１４から分離して押し込まれ、飲み口を開口する。
【００３０】
（缶詰容器の開口方法）
図５（Ａ）に示すように、ナッツや惣菜のような食品等を詰めたプルトップ式の缶詰容器Ｙ２は、上蓋部に切り溝を介して分離可能なプルトップ１５ｂを形成しており、該プルトップ１５ｂを引き上げるリング部１６ｂを設けている。この点は公知のとおりであり、リング部１６ｂの尾端部を引き上げると先端部が押し下げられることにより切り溝の一部を分離させ、引き続いてリング部１６ｂを大きく引き上げると、切り溝を分離させながらプルトップ１５ｂが捲り上げられ、缶詰容器Ｙ２を開口するように構成されている。
【００３１】
オープナー１により缶詰容器Ｙ２を開口させる場合は、図５（Ｂ）に示すように、前記エッジ部１３をリング部１６ｂに対向させて下側に臨ませ、その状態からエッジ部１３を前進させると、舌片部５及び缶容器用爪部１０がリング部１６ｂの間に進入する。
【００３２】
そこで、図５（Ｃ）に示すように、舌片部５を更に前進させると、缶容器用爪部１０のテーパ面１２に沿ってリング部１６ｂが押上げられ、これにより押下げられたリング部１６ｂの先端がプルトップ１５ｂの切り溝の一部を分離させる。
【００３３】
この状態から、図５（Ｄ）に示すように、缶容器用爪部１０をリング部１６ｂに下側から挿通させ、オープナー１を持ち上げると、切り溝を分離させながらプルトップ１５ｂが捲り上げられ、缶詰容器Ｙ２を開口する。
【００３４】
（樹脂容器用爪部）
図１及び図２に示すように、前記帽状部６は、先端側の下縁から上面に向けて円弧状に膨出するガイド面１８を形成し、該ガイド面１８の上部から前記本体部２の上方に向けて斜めに突出する樹脂容器用爪部１９を一体に形成している。
【００３５】
前記ガイド面１８は、図示のような並設された２本のリブ１８ａにより形成することが好ましい。
【００３６】
前記樹脂容器用爪部１９は、先端を尖鋭とするように形成され、傾斜した上面にテーパ面２０を形成しており、該テーパ面２０は、前記ガイド面１８の円弧から接線方向に延びるように形成されている。
【００３７】
樹脂容器用爪部１９は、図６に示すような樹脂容器に螺着される口筒部材Ｚを開口させる場合に使用される。
【００３８】
（口筒部材の開口方法）
口筒部材Ｚは、醤油やウスターソース等の液体を収容する樹脂容器に螺着されるものであり、図６（Ａ）に示すように、口筒部材Ｚの底部に引きちぎり開口自在な封膜部２１を形成し、該封膜部２１から延設されたプルリング２２を口筒部材の上縁の内側に配置している。この点は公知のとおりであり、プルリング２２を引き上げると、封膜部２１が引きちぎられ、口筒部材Ｚの底部を開口する。
【００３９】
オープナー１により口筒部材Ｚを開口させる場合は、図６（Ｂ）に示すように、帽状部６の上面を下向きとした状態で、樹脂容器用爪部１９の先端を口筒部材Ｚの上縁２３とプルリング２２の間の隙間に差し込む。
【００４０】
前記隙間に樹脂容器用爪部１９に完全に差し込むと、テーパ面２０が口筒部材Ｚの上縁２３に沿って移動することにより、樹脂容器用爪部１９の先端をプルリング２２の下方に進入させ、ガイド面１８が口筒部材Ｚの上縁２３に当接する。
【００４１】
そこで、図６（Ｃ）に示すように、ガイド面１８を上縁２３に沿わせた状態で、オープナー１を起立回動、つまり、舌片部５が上向きとなるように回動させると、樹脂容器用爪部１９がプルリング２２に挿通される。そして、更に、オープナー１を回動させると、樹脂容器用爪部１９がプルリング２２を引き上げることにより、封膜部２１を引きちぎり、口筒部材Ｚの底部を開口する。
【符号の説明】
【００４２】
１  オープナー
２  本体部
３  筒部
４  キャップ用孔壁
４Ｓ  小径孔壁
４Ｌ  大径孔壁
４ａ  異径段部
５  舌片部
６  帽状部
７Ｓ  小径キャップ
７Ｌ  大径キャップ
８  指挿入孔
９  環状底部
１０  缶容器用爪部
１１  接支部
１２  テーパ面
１３  エッジ部
１４  上蓋部
１５ａ  押込みタブ
１５ｂ  プルトップ
１６ａ、１６ｂ  リング部
１７  支点手段
１８  ガイド面
１８ａ  リブ
１９  樹脂容器用爪部
２０  テーパ面
２１  封膜部
２２  プルリング
【図１】
0003226496.tif 000003
【図２】
0003226496.tif 000004
【図３】
0003226496.tif 000005
【図４】
0003226496.tif 000006
【図５】
0003226496.tif 000007
【図６】
0003226496.tif 000008
【手続補正書】
【提出日】令和2年3月12日(2020.3.12)
【手続補正１】
【補正対象書類名】実用新案登録請求の範囲
【補正対象項目名】全文
【補正方法】変更
【補正の内容】
【実用新案登録請求の範囲】
【請求項１】
本体部(2)の中央に位置して上下方向に延びる仮想の軸線(P)に関して、該軸線を中心として本体部に一体形成されたキャップ用孔壁(4)と、該軸線に交差する直径方向の一方に向けて本体部から一体に延設された舌片部(5)を備えており、
前記キャップ用孔壁(4)は、少なくとも下向きの開口部を備え、飲料容器(X)に螺着されたキャップ(7)に外嵌して該キャップ(7)を一体回動させるように構成され、
前記舌片部(5)は、先端部から前記本体部の上方に向けて斜めに突出する缶容器用爪部(10)を一体に形成し、缶容器(Y)の開缶用のリング部(16)に対して、前記舌片部(5)と共に缶容器用爪部)10)を前記リング部(16)の下側に挿入して該リング部(16)を押上げるように構成されて成ることを特徴とする多種容器用オープナー。
【請求項２】
前記本体部(2)は、前記軸線(P)に交差する直径方向に関して、前記舌片部の反対方向に帽状部(6)を一体に延設しており、
前記帽状部(6)は、先端側の下縁から上面に向けて円弧状に膨出するガイド面(18)を形成し、該ガイド面の上部から前記本体部の上方に向けて斜めに突出する樹脂容器用爪部(19)を一体に形成し、該帽状部の上面を下向きにした状態で、樹脂容器の口筒部材(Z)の内側で引き上げることにより封膜部(21)を引きちぎり開口させるプルリング(22)に対して、前記樹脂容器用爪部(19)をプルリング(22)に挿入させたとき前記ガイド面(18)を口筒部の上縁(23)に接支させるように構成されて成ることを特徴とする請求項１に記載の多種容器用オープナー。
【請求項３】
外径を大径とした大径キャップ(7L)を螺着した飲料容器(X2)と、外径を小径とした小径キャップ(7S)を螺着した飲料容器(X1)に関して、
前記キャップ用孔壁(4)は、下向きの開口部から前記大径キャップに外嵌される内径を備えた大径孔壁(4L)と、前記小径キャップに外嵌される内径を備えた小径孔壁(4S)を同軸上に連設しており、本体部(2)に前記小径孔壁に連通する指挿入孔(8)を開設して成ることを特徴とする請求項１又は２に記載の多種容器用オープナー。
【請求項４】
前記舌片部(5)は、本体部(2)の下面に向けて延びる接支部(11)を設けており、
缶容器のうちリング部(16a)を上動させたとき押込みタブ(15a)を下動させることにより飲み口を開口させる飲料缶容器(Y1)に関して、
前記缶容器用爪部(10)は、前記舌片部(5)と共に前記リング部(16a)の下側に挿入したとき、該リング部を押上げるテーパ面(12)を備えており、
前記接支部(11)は、前記リング部(16a)を押上げた状態で缶容器(Y1)の縁部に当接することにより、本体部(2)を下動したとき缶容器用爪部(10)を上動させる支点手段(17)を形成するように構成されて成ることを特徴とする請求項１、２又は３に記載の多種容器用オープナー。